(57)【特許請求の範囲】
【請求項１】
対向する一対の側壁に形成されたレバー支持部と、内部に設けられた内側ハウジング係止部とを備え、相手のコネクタハウジングに嵌合接続される外側ハウジングと、
前記相手のコネクタハウジング内の端子金具に接続する端子金具を収容保持すると共に、前記外側ハウジング内に挿入されて前記内側ハウジング係止部により規定位置に着脱可能に係止される内側ハウジングと、
前記レバー支持部に回動可能に係合する回動用連結部を備え、前記回動用連結部を前記レバー支持部に係合させることにより前記一対の側壁に回動可能に結合されて規定の嵌合開始位置から嵌合完了位置に回動操作することによって前記相手のコネクタハウジングと前記外側ハウジングとを嵌合させる嵌合操作レバーと、
を備えるレバー式コネクタであって、
前記嵌合操作レバーには、前記外側ハウジングと相手のコネクタハウジングとの嵌合が完了する嵌合完了位置に配置されたときに、前記内側ハウジングを相手のコネクタハウジング側に押圧して、前記内側ハウジングを前記規定位置へ押圧固定する内側ハウジング補助係止部を備えたことを特徴とするレバー式コネクタ。
【発明の詳細な説明】
【技術分野】
【０００１】
本発明は、レバー式コネクタに関する。
【背景技術】
【０００２】
図１５は、下記特許文献１に開示されたレバー式コネクタを示したものである。
このレバー式コネクタ１００は、相手コネクタハウジングに嵌合接続される外側ハウジング１１０と、内側ハウジング１２０と、嵌合操作レバー１３０と、を備える。
【０００３】
外側ハウジング１１０は、対向する一対の側壁１１１に形成されたレバー支持部としてのレバー支持軸１１２と、内側ハウジング１２０の係止のために内部に設けられた内側ハウジング係止部（不図示）と、を備えている。
【０００４】
内側ハウジング１２０は、相手のコネクタハウジング内の端子金具に接続する端子金具１４１，１４２，１４３，１４４を収容保持する。また、この内側ハウジング１２０は、外側ハウジング１１０内に挿入されて、前記内側ハウジング係止部により規定位置に着脱可能に係止される。
【０００５】
嵌合操作レバー１３０は、レバー支持軸１１２に回動可能に係合する回動用連結部としての軸嵌合穴１３１を備えていて、該軸嵌合穴１３１をレバー支持軸１１２に係合させることにより、一対の側壁１１１に回動可能に結合される。この嵌合操作レバー１３０は、外側ハウジング１１０に対して、規定の嵌合開始位置から嵌合完了位置に回動操作することによって、外側ハウジング１１０を相手のコネクタハウジングに嵌合させることができる。
【先行技術文献】
【特許文献】
【０００６】
【特許文献１】特開２００９−９３８７１号公報
【発明の概要】
【発明が解決しようとする課題】
【０００７】
ところで、特許文献１に記載のレバー式コネクタ１００では、相手のコネクタハウジングと嵌合接続の際に、内側ハウジング１２０が動いて嵌合不良等が生じないように、外側ハウジング１１０内での内側ハウジング１２０の位置決めを強固にする必要がある。
【０００８】
しかし、内側ハウジング１２０の位置決めを強固にするために、例えば、外側ハウジング１１０の内部に設けられた内側ハウジング係止部による係止力を強化すると、外側ハウジング１１０に対する内側ハウジング１２０の着脱操作に大きな操作力が必要となって、組み立て時や保守時における操作性が低下するという問題が生じた。
【０００９】
また、特許文献１に記載のレバー式コネクタ１００では、内側ハウジング１２０の中途挿入を防止するための配慮は特に開示されておらず、内側ハウジング１２０が中途挿入状態で相手のコネクタハウジングに嵌合接続されると、端子金具相互の接続不良等の問題が発生するおそれがあった。
【００１０】
そこで、本発明の目的は、上記課題を解消することに係り、外側ハウジングに対する内側ハウジングの着脱を小さな操作力で容易にでき、しかも、相手のコネクタハウジングへの嵌合接続の際には、内側ハウジングを堅固に規定位置に固定して、相手のコネクタハウジングとの接続信頼性を向上させることができ、更に、更に、内側ハウジングの中途挿入に起因する不都合の発生を防止することのできるレバー式コネクタを提供することにある。
【課題を解決するための手段】
【００１１】
本発明の前述した目的は、下記の構成により達成される。
（１）対向する一対の側壁に形成されたレバー支持部と、内部に設けられた内側ハウジング係止部とを備え、相手のコネクタハウジングに嵌合接続される外側ハウジングと、
前記相手のコネクタハウジング内の端子金具に接続する端子金具を収容保持すると共に、前記外側ハウジング内に挿入されて前記内側ハウジング係止部により規定位置に着脱可能に係止される内側ハウジングと、
前記レバー支持部に回動可能に係合する回動用連結部を備え、前記回動用連結部を前記レバー支持部に係合させることにより前記一対の側壁に回動可能に結合されて規定の嵌合開始位置から嵌合完了位置に回動操作することによって前記相手のコネクタハウジングと前記外側ハウジングとを嵌合させる嵌合操作レバーと、
を備えるレバー式コネクタであって、
前記嵌合操作レバーには、前記外側ハウジングと相手のコネクタハウジングとの嵌合が完了する嵌合完了位置に配置されたときに、前記内側ハウジングを相手のコネクタハウジング側に押圧して、前記内側ハウジングを前記規定位置へ押圧固定する内側ハウジング補助係止部を備えたことを特徴とするレバー式コネクタ。
【００１２】
上記（１）の構成によれば、相手のコネクタハウジングへ嵌合接続するために嵌合操作レバーを規定の嵌合開始位置から嵌合完了位置に回動操作したときには、嵌合操作レバーに装備されている内側ハウジング補助係止部が内側ハウジングを外側ハウジング内の規定位置に押圧して、外側ハウジング内の規定位置に対する内側ハウジングの係止力を高める。
【００１３】
即ち、相手のコネクタハウジングに嵌合接続する際における内側ハウジングの規定位置への係止力は、外側ハウジングの内部に設けられた内側ハウジング係止部による係止力に、内側ハウジング補助係止部による係止力が加算された値になる。
【００１４】
そのため、内側ハウジングに対する内側ハウジング係止部による係止力は、相手のコネクタハウジングとの嵌合接続時に必要となる固定強度（係止力）より小さく設定しておいても、内側ハウジング補助係止部による補助により十分な係止力を確保して、内側ハウジングのガタつき等に起因する嵌合不良等の発生を防止することができる。
【００１５】
一方、外側ハウジングに対して内側ハウジングを着脱する組み立て時や保守時には、嵌合操作レバーを嵌合開始位置等に戻すことによって、内側ハウジング補助係止部による係止を解除すれば、内側ハウジングの着脱操作時の操作力は、係止力を弱めに設定した内側ハウジング係止部に対する着脱操作力で良い。
【００１６】
従って、外側ハウジングに対する内側ハウジングの着脱を小さな操作力で容易にでき、しかも、相手のコネクタハウジングへの嵌合接続の際には、内側ハウジングを堅固に規定位置に固定して、相手のコネクタハウジングとの接続信頼性を向上させることができる。
【００１７】
また、嵌合操作レバーを規定の嵌合開始位置から嵌合完了位置に回動操作するとき、万が一、内側ハウジングが中途挿入の状態にあっても、嵌合操作レバーに装備されている内側ハウジング補助係止部が内側ハウジングを外側ハウジング内の規定位置に押圧するため、嵌合操作レバーの回動操作により中途挿入状態の内側ハウジングを正規の完全挿入状態に修復することができ、内側ハウジングの中途挿入に起因する不都合の発生を防止することができる。
【発明の効果】
【００１８】
本発明によるレバー式コネクタによれば、相手のコネクタハウジングに嵌合接続する際における内側ハウジングの規定位置への係止力は、外側ハウジングの内部に設けられた内側ハウジング係止部による係止力に、内側ハウジング補助係止部による係止力が加算された値になる。
【００１９】
そのため、内側ハウジングに対する内側ハウジング係止部による係止力は、相手のコネクタハウジングとの嵌合接続時に必要となる固定強度（係止力）より小さく設定しておいても、内側ハウジング補助係止部による補助により十分な係止力を確保して、内側ハウジングのガタつき等に起因する嵌合不良等の発生を防止することができる。
【００２０】
一方、外側ハウジングに対して内側ハウジングを着脱する組み立て時や保守時には、嵌合操作レバーを嵌合開始位置等に戻すことによって、内側ハウジング補助係止部による係止を解除すれば、内側ハウジングの着脱操作時の操作力は、係止力を弱めに設定した内側ハウジング係止部に対する着脱操作力で良い。
【００２１】
従って、外側ハウジングに対する内側ハウジングの着脱を小さな操作力で容易にでき、しかも、相手のコネクタハウジングへの嵌合接続の際には、内側ハウジングを堅固に規定位置に固定して、相手のコネクタハウジングとの接続信頼性を向上させることができる。
【００２２】
また、嵌合操作レバーを規定の嵌合開始位置から嵌合完了位置に回動操作するとき、万が一、内側ハウジングが中途挿入の状態にあっても、嵌合操作レバーに装備されている内側ハウジング補助係止部が内側ハウジングを外側ハウジング内の規定位置に押圧するため、嵌合操作レバーの回動操作により中途挿入状態の内側ハウジングを正規の完全挿入状態に修復することができ、内側ハウジングの中途挿入に起因する不都合の発生を防止することもできる。
【図面の簡単な説明】
【００２３】
【図１】本発明に係るレバー式コネクタの一実施形態の分解斜視図である。
【図２】一実施形態のレバー式コネクタの嵌合操作レバーが嵌合開始位置に位置している組立状態の斜視図である。
【図３】図２に示した組立状態の側面図である。
【図４】図３のＡ矢視図である。
【図５】図４のＢ−Ｂ断面図である。
【図６】図５のＣ部拡大図である。
【図７】図４のＤ−Ｄ断面図である。
【図８】図３のＥ−Ｅ断面図である。
【図９】図８のＦ部拡大図である。
【図１０】一実施形態のレバー式コネクタの嵌合操作レバーが嵌合完了位置に位置している組立状態の斜視図である。
【図１１】図１０に示した組立状態の側面図である。
【図１２】図１１のＧ−Ｇ断面図である。
【図１３】図１２のＨ部拡大図である。
【図１４】図１２のＩ−Ｉ断面図である。
【図１５】従来のレバー式コネクタの分解斜視図である。
【発明を実施するための形態】
【００２４】
以下、本発明に係るレバー式コネクタの好適な実施形態について、図面を参照して詳細に説明する。
【００２５】
図１〜図１４は本発明に係るレバー式コネクタの一実施形態の説明図で、図１は本発明の一実施形態のレバー式コネクタの分解斜視図、図２は一実施形態のレバー式コネクタの嵌合操作レバーが嵌合開始位置に位置している組立状態の斜視図、図３は図２に示した組立状態の側面図、図４は図３のＡ矢視図、図５は図４のＢ−Ｂ断面図、図６は図５のＣ部拡大図、図７は図４のＤ−Ｄ断面図、図８は図３のＥ−Ｅ断面図、図９は図８のＦ部拡大図、図１０は一実施形態のレバー式コネクタの嵌合操作レバーが嵌合完了位置に位置している組立状態の斜視図、図１１は図１０に示した組立状態の側面図、図１２は図１１のＧ−Ｇ断面図、図１３は図１２のＨ部拡大図、図１４は図１２のＩ−Ｉ断面図である。
【００２６】
この一実施形態のレバー式コネクタ１は、図１に示すように、外側ハウジング１０と、内側ハウジング２０と、嵌合操作レバー３０と、カバー４０と、を備える。
【００２７】
外側ハウジング１０は、相手のコネクタハウジング５０に嵌合接続されるコネクタハウジングで、対向する一対の側壁１１に形成されたレバー支持部１２と、カバー係止部として一対の側壁１１の一端側に形成された第１カバー係止部１３と、カバー係止部として一対の側壁１１の他端側に形成された第２カバー係止部１４と、内側ハウジング２０を着脱可能に収容するハウジング収容部１６（図１参照）と、ハウジング収容部１６の内部に設けられた内側ハウジング係止部１７（図５及び図６参照）と、を備える。
【００２８】
レバー支持部１２は、嵌合操作レバー３０を回動可能に支持する部位で、本実施形態の場合は、略円柱状の軸部に形成されている。
【００２９】
第１カバー係止部１３は、後述のカバー４０の一端側の第１ハウジング係止部４１を係止する部位である。また、第２カバー係止部１４は、後述のカバー４０の他端側に形成された第２ハウジング係止部４２を係止することで、カバー４０の他端側を固定する。
【００３０】
内側ハウジング係止部１７は、図５及び図６に示すように、ハウジング収容部１６の隔壁に突設された係止突起である。本実施形態の場合、内側ハウジング係止部１７は、半球状の突起である。
【００３１】
内側ハウジング２０は、相手のコネクタハウジング内の端子金具に接続する端子金具（不図示）を収容保持して、ハウジング収容部１６に装着される。内側ハウジング２０は、図１に示すように、係止アーム２１と、押圧受け部２２と、を備える。
【００３２】
係止アーム２１は、図５及び図６に示すように、ハウジング収容部１６への挿入方向（図６の矢印方向）に沿って延出した弾性片２１ａの先端側に、前述の内側ハウジング係止部１７と係合可能な係合穴２１ｂを形成した構造である。
【００３３】
係止アーム２１は、内側ハウジング２０がハウジング収容部１６内へ挿入されてハウジング収容部１６内の規定位置に到達したときに、係合穴２１ｂが内側ハウジング係止部１７と係合して、内側ハウジング２０を規定位置（相手のコネクタハウジング５０に適正に嵌合接続される位置）に固定する。
【００３４】
押圧受け部２２は、後述の嵌合操作レバー３０から押圧力を受ける部位で、内側ハウジング２０の後端に設けられている。
【００３５】
嵌合操作レバー３０は、外側ハウジング１０の一対の側壁１１の外面に回動可能に連結される一対のレバー本体３１と、これらの一対のレバー本体３１相互の一端側を連結した連結壁３２とを備える。一対のレバー本体３１は、レバー支持部１２に回動可能に係合する回動用連結部３４と、ハウジング収容部１６に収容された内側ハウジング２０を押圧する内側ハウジング補助係止部３６と、を備える。
【００３６】
レバー本体３１に装備された回動用連結部３４は、本実施形態の場合、略円柱状の軸部であるレバー支持部１２に回動可能に嵌合する軸嵌合穴である。
【００３７】
嵌合操作レバー３０は、外側ハウジング１０に内側ハウジング２０を装着した後、外側ハウジング１０の一対の側壁１１に回動可能に取り付けられる。一対の側壁１１のレバー支持部１２に回動可能に取り付けられた嵌合操作レバー３０は、図３に示す回動位置である嵌合開始位置から図３の矢印Ｒ１方向に回動させて、図１１に示す嵌合完了位置まで、回動させることができる。即ち、嵌合操作レバー３０は、図３に示す嵌合開始位置から図１１に示す嵌合完了位置の範囲で回動可能である。
【００３８】
外側ハウジング１０に装着された嵌合操作レバー３０は、外側ハウジング１０の先端に相手のコネクタハウジング５０を突き合わせた状態で、前述の嵌合開始位置から嵌合完了位置に移動（回動）させることで、相手のコネクタハウジング５０と外側ハウジング１０とを嵌合させる。
【００３９】
レバー本体３１に装備された内側ハウジング補助係止部３６は、図１０及び図１１に示した嵌合完了位置に配置されたときに、図１２〜図１４に示すように、内側ハウジング２０の押圧受け部２２を相手のコネクタハウジング５０側に押圧する突起で、レバー本体３１の内面に突設されている（図１参照）。
【００４０】
内側ハウジング補助係止部３６は、嵌合操作レバー３０が嵌合開始位置にあるときは、図７〜図９に示すように、押圧受け部２２から離れた位置にある。内側ハウジング補助係止部３６は、嵌合操作レバー３０の嵌合完了位置への回動に伴い、押圧受け部２２側に移動して、嵌合操作レバー３０が嵌合完了位置に到達したときには、図１４に示すように、押圧受け部２２を介して内側ハウジング２０を相手のコネクタハウジング５０側（図１４では、矢印Ｘ２方向）に押圧して、内側ハウジング２０を前述の規定位置へ押圧固定する。
【００４１】
カバー４０は、外側ハウジング１０の後端側を覆うカバーである。このカバー４０は、外側ハウジング１０へ固定するための手段として図１に示すように、一端側に配置された第１ハウジング係止部４１と、他端側に配置された第２ハウジング係止部４２と、を備える。
【００４２】
第１ハウジング係止部４１は、外側ハウジング１０の一端側に配置された第１カバー係止部１３に係合可能なハウジング係合部として、カバー４０の一端側に配置されている。また、第２ハウジング係止部４２は、外側ハウジング１０の他端側に配置された第２カバー係止部１４に係合可能なハウジング係合部として、カバー４０の一端側に配置されている。
【００４３】
本実施形態のカバー４０は、上記の第１ハウジング係止部４１及び第２ハウジング係止部４２を、外側ハウジング１０の第１カバー係止部１３及び第２カバー係止部１４に係合させることで外側ハウジング１０の後端に固定される。カバー４０は、外側ハウジング１０の後端に固定されることで、外側ハウジング１０の後方に引き出される電線の引き出し方向を規制する。
【００４４】
カバー４０の外側ハウジング１０への装着は、嵌合操作レバー３０を外側ハウジング１０に装着した後で行われる。
【００４５】
以上に説明した一実施形態のレバー式コネクタ１によれば、相手のコネクタハウジング５０へ嵌合接続するために嵌合操作レバー３０を規定の嵌合開始位置から嵌合完了位置に回動操作したときには、嵌合操作レバー３０に装備されている内側ハウジング補助係止部３６が内側ハウジング２０を外側ハウジング１０内の規定位置に押圧して、外側ハウジング１０内の規定位置に対する内側ハウジング２０の係止力を高める。
【００４６】
即ち、相手のコネクタハウジング５０に嵌合接続する際における内側ハウジング２０の規定位置への係止力は、外側ハウジング１０の内部に設けられた内側ハウジング係止部１７による係止力に、内側ハウジング補助係止部３６による係止力が加算された値になる。
【００４７】
そのため、内側ハウジング２０に対する内側ハウジング係止部１７による係止力は、相手のコネクタハウジング５０との嵌合接続時に必要となる固定強度（係止力）より小さく設定しておいても、内側ハウジング補助係止部３６による補助により十分な係止力を確保して、内側ハウジング２０のガタつき等に起因する嵌合不良等の発生を防止することができる。
【００４８】
一方、外側ハウジング１０に対して内側ハウジング２０を着脱する組み立て時や保守時には、嵌合操作レバー３０を嵌合開始位置等に戻すことによって、内側ハウジング補助係止部３６による係止を解除すれば、内側ハウジング２０の着脱操作時の操作力は、係止力を弱めに設定した内側ハウジング係止部１７に対する着脱操作力で良い。
【００４９】
従って、外側ハウジング１０に対する内側ハウジング２０の着脱を小さな操作力で容易にでき、しかも、相手のコネクタハウジング５０への嵌合接続の際には、内側ハウジング２０を堅固に規定位置に固定して、相手のコネクタハウジング５０との接続信頼性を向上させることができる。
【００５０】
また、嵌合操作レバー３０を規定の嵌合開始位置から嵌合完了位置に回動操作するとき、万が一、内側ハウジング２０が中途挿入の状態にあっても、嵌合操作レバー３０に装備されている内側ハウジング補助係止部３６が内側ハウジング２０を外側ハウジング１０内の規定位置に押圧するため、嵌合操作レバー３０の回動操作により中途挿入状態の内側ハウジング２０を正規の完全挿入状態に修復することができ、内側ハウジング２０の中途挿入に起因する不都合の発生を防止することができる。
【００５１】
なお、本発明のレバー式コネクタは、前述した実施形態に限定されるものでなく、適宜な変形、改良等が可能である。
【００５２】
例えば、嵌合操作レバー３０を回動可能に外側ハウジング１０に連結する機構は、嵌合操作レバー３０側に軸部を設け、外側ハウジング１０側に前記軸部を回動可能に支持する軸係合穴を設けるようにしても良い。
【００５３】
また、上記実施形態のレバー式コネクタは、外側ハウジングに１つの内側ハウジングが装着される構成であったが、外側ハウジング内に複数の内側ハウジングが装着される場合でも、装着する内側ハウジングの数量分の内側ハウジング補助係止部を嵌合操作レバーに装備することで、外側ハウジングに装着される全ての内側ハウジングに対して上記の作用・効果を得ることができる。
【符号の説明】
【００５４】
１  レバー式コネクタ
１０  外側ハウジング
１２  レバー支持部
２０  内側ハウジング
２１  係止アーム
２２  押圧受け部
３０  嵌合操作レバー
３４  回動用連結部
３６  内側ハウジング補助係止部
４０  カバー
５０  相手のコネクタハウジング
【図１】
0005775420.tif 000002
【図２】
0005775420.tif 000003
【図３】
0005775420.tif 000004
【図４】
0005775420.tif 000005
【図５】
0005775420.tif 000006
【図６】
0005775420.tif 000007
【図７】
0005775420.tif 000008
【図８】
0005775420.tif 000009
【図９】
0005775420.tif 000010
【図１０】
0005775420.tif 000011
【図１１】
0005775420.tif 000012
【図１２】
0005775420.tif 000013
【図１３】
0005775420.tif 000014
【図１４】
0005775420.tif 000015
【図１５】
0005775420.tif 000016